(57)【要約】【課題】発光装置の全体的な発光を高精度に補正することができる技術を提供する。【解決手段】本発明の発光装置は、各々に複数の光源部が配置された複数の発光領域を有する発光部と、複数の光センサと、複数の温度センサと、各光源部を順番に選択する選択手段と、選択手段によって選択された選択光源部を点灯させる制御手段と、選択光源部の補正パラメータを、選択光源部が配置された発光領域に対応する光センサによって得られた光検出値と、選択光源部から発せられた光を検出する光センサに対応する温度センサによって得られた温度検出値と、に基づいて決定する決定手段と、各光源部の発光輝度と発光色の少なくとも一方を、決定手段によって決定された補正パラメータを用いて補正する補正手段と、を有し、選択手段は、同じ温度センサが連続して選択されないような順番で各光源部を選択する。【選択図】図４
2018037214.tif 000002
【特許請求の範囲】
【請求項１】
各々に複数の光源部が配置された複数の発光領域を有する発光部と、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
各光源部を順番に選択する選択手段と、
前記選択手段によって選択された光源部である選択光源部を点灯させる制御手段と、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定手段と、
各光源部の発光輝度と発光色の少なくとも一方を、前記決定手段によって決定された補正パラメータを用いて補正する補正手段と、
を有し、
前記選択手段は、同じ温度センサが連続して選択されないような順番で各光源部を選択する
ことを特徴とする発光装置。
【請求項２】
各発光領域には、Ｎ個（Ｎは２以上の整数）の光源部が配置されており、
前記選択手段は、各温度センサを順番に選択する処理がＮ回繰り返されるような順番で各光源部を選択する
ことを特徴とする請求項１に記載の発光装置。
【請求項３】
前記決定手段は、前記発光領域に配置された前記複数の光源部の全部または一部であるＭ個（Ｍは２以上の整数）の光源部が選択される度に、前記Ｍ個の光源部の選択に対して得られた、Ｍ個の光検出値と、Ｍ個の温度検出値とに基づいて、前記Ｍ個の光源部の間で共通の補正パラメータを決定する
ことを特徴とする請求項１または２に記載の発光装置。
【請求項４】
前記決定手段は、前記Ｍ個の光検出値の総和と、前記Ｍ個の温度検出値の総和とに基づいて、前記Ｍ個の光源部の間で共通の補正パラメータを決定する
ことを特徴とする請求項３に記載の発光装置。
【請求項５】
前記決定手段は、前記選択手段によって光源部が選択される度に、選択された光源部の補正パラメータを決定する
ことを特徴とする請求項１または２に記載の発光装置。
【請求項６】
請求項１〜５のいずれか１項に記載の発光装置と、
前記発光装置から発せられた光を変調することで画像を表示する表示部と、
を有することを特徴とする表示装置。
【請求項７】
前記発光装置が有する複数の光源部は、各々が画面の一部である複数の部分領域にそれぞれ対応し、
各光源部は、自身に対応する部分領域における入力画像データに基づく発光輝度で点灯し、
前記表示装置は、
前記光源部に対応する部分領域における入力画像データに基づいて、当該光源部の前記発光輝度が高いほど高い優先度を決定する処理を、各光源部について行う優先度決定手段、
をさらに有し、
前記発光装置は、各発光領域において前記優先度決定手段によって決定された優先度が高い光源部から選択されるような順番で各光源部を選択する
ことを特徴とする請求項６に記載の表示装置。
【請求項８】
各々に複数の光源部が配置された複数の発光領域を有する発光部と、
前記発光部から発せられた光を変調することで画像を表示する表示部と、
を有し、
前記発光部が有する複数の光源部は、各々が画面の一部である複数の部分領域にそれぞれ対応し、
各光源部は、自身に対応する部分領域における入力画像データに基づく発光輝度で点灯する
表示装置であって、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
前記光源部に対応する部分領域における入力画像データに基づいて、当該光源部の前記発光輝度が高いほど高い優先度を決定する処理を、各光源部について行う優先度決定手段と、
前記優先度決定手段によって決定された優先度が高い光源部から選択されるような順番で各光源部を選択する選択手段と、
前記選択手段によって選択された光源部である選択光源部を点灯させる制御手段と、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定手段と、
各光源部の発光輝度と発光色の少なくとも一方を、前記決定手段によって決定された補正パラメータを用いて補正する補正手段と、
を有することを特徴とする表示装置。
【請求項９】
前記決定手段は、前記発光領域に配置された前記複数の光源部の全部または一部であるＭ個（Ｍは２以上の整数）の光源部が選択される度に、前記Ｍ個の光源部の選択に対して得られた、Ｍ個の光検出値と、Ｍ個の温度検出値とに基づいて、前記Ｍ個の光源部の間で共通の補正パラメータを決定する
ことを特徴とする請求項８に記載の表示装置。
【請求項１０】
前記決定手段は、前記Ｍ個の光検出値の総和と、前記Ｍ個の温度検出値の総和とに基づいて、前記Ｍ個の光源部の間で共通の補正パラメータを決定する
ことを特徴とする請求項９に記載の表示装置。
【請求項１１】
前記決定手段は、前記選択手段によって光源部が選択される度に、選択された光源部の補正パラメータを決定する
ことを特徴とする請求項８に記載の表示装置。
【請求項１２】
各々に複数の光源部が配置された複数の発光領域を有する発光部と、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
を有する発光装置の制御方法であって、
各光源部を順番に選択する選択ステップと、
前記選択ステップにおいて選択された光源部である選択光源部を点灯させる制御ステップと、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定ステップと、
各光源部の発光輝度と発光色の少なくとも一方を、前記決定ステップにおいて決定された補正パラメータを用いて補正する補正ステップと、
を有し、
前記選択ステップでは、同じ温度センサが連続して選択されないような順番で各光源部を選択する
ことを特徴とする発光装置の制御方法。
【請求項１３】
各々に複数の光源部が配置された複数の発光領域を有する発光部と、
前記発光部から発せられた光を変調することで画像を表示する表示部と、
を有し、
前記発光部が有する複数の光源部は、各々が画面の一部である複数の部分領域にそれぞれ対応し、
各光源部は、自身に対応する部分領域における入力画像データに基づく発光輝度で点灯する
表示装置の制御方法であって、
前記表示装置は、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
をさらに有し、
前記表示装置の制御方法は、
前記光源部に対応する部分領域における入力画像データに基づいて、当該光源部の前記発光輝度が高いほど高い優先度を決定する処理を、各光源部について行う優先度決定ステップと、
前記優先度決定ステップにおいて決定された優先度が高い光源部から選択されるような順番で各光源部を選択する選択ステップと、
前記選択ステップにおいて選択された光源部である選択光源部を点灯させる制御ステップと、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定ステップと、
各光源部の発光輝度と発光色の少なくとも一方を、前記決定ステップにおいて決定された補正パラメータを用いて補正する補正ステップと、
を有することを特徴とする表示装置の制御方法。
【請求項１４】
請求項１２に記載の発光装置の制御方法の各ステップをコンピュータに実行させるためのプログラム。
【請求項１５】
請求項１３に記載の表示装置の制御方法の各ステップをコンピュータに実行させるためのプログラム。
【発明の詳細な説明】
【技術分野】
【０００１】
本発明は、発光装置および表示装置に関する。
【背景技術】
【０００２】
カラー画像を表示可能な液晶表示装置は、一般的に、カラーフィルタを有する液晶パネルと、液晶パネルの背面に白色光を照射するバックライト装置とを有する。従来は、バックライト装置の光源として、冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光ランプが主に用いられていた。近年では、バックライト装置の光源として、消費電力、寿命、色再現性、環境負荷の面で優れた発光ダイオード（ＬＥＤ：Ｌｉｇｈｔ  Ｅｍｉｔｔｉｎｇ  Ｄｉｏｄｅ）が用いられるようになってきている。
【０００３】
光源としてＬＥＤを有する発光装置（ＬＥＤバックライト装置）は、一般的に、多数のＬＥＤを有する。このようなバックライト装置を有する液晶表示装置では、画面の低輝度表示領域に光を照射する光源の発光輝度を低減することにより、液晶表示装置の消費電力が低減し、表示画像（画面に表示された画像）のコントラストが向上する。低輝度表示領域は、暗い画像が表示される領域である。各光源の発光輝度の個別制御は、「ローカルディミング制御」と呼ばれる。
【０００４】
しかしながら、ローカルディミング制御を行うと、バックライト装置から発せられた光に意図せぬムラ（輝度ムラ、色ムラ、等）が生じることがある。具体的には、ローカルディミング制御を行うと、光源間の温度のばらつきが生じることがある。光源の温度が変化すると、光源から発せられる光（光の輝度、光の色、等）も変化する。そのため、光源間の温度のばらつきが生じることにより、意図せぬムラが生じる。また、ローカルディミング制御を行うと、光源間の経年劣化度合いのばらつきが生じることがある。光源の経年劣化度合いが変化すると、光源から発せられる光も変化する。そのため、光源間の経年劣化度合いのばらつきが生じることにより、意図せぬムラが生じる。
【０００５】
上述した意図せぬムラを低減するための技術は、例えば、特許文献１，２に開示されている。特許文献１，２に開示の技術では、光源を点灯させて当該光源から発せられた光を光センサによって検出する処理が全ての光源について行われる。そして、各検出値（光源から発せられた光の検出値；光センサによって得られた検出値；光検出値）に基づいて各光源の発光が補正される。光検出値は、光センサの温度に依存する。特許文献２に開示の技術では、光センサの温度が温度センサによって検出され、温度センサによって得られた検出値（温度検出値）に基づいて光検出値が補正される。
【０００６】
近年では、ダイナミックレンジが広い画像を表示可能な表示装置が注目されている。広いダイナミックレンジは、「Ｈｉｇｈ  Ｄｙｎａｍｉｃ  Ｒａｎｇｅ」、「ＨＤＲ」、等と呼ばれる。そのような表示装置では、光源の発光輝度を高めることにより、非常に高い輝度での表示を実現することができる。
【０００７】
しかしながら、光源の発光輝度を高めると、光源の劣化速度、光源の温度変化速度（温度上昇速度）、等が増す。そのため、各光源の光検出値を取得した後に各光源の発光を補正する従来技術では、各光源の光検出値の取得が完了するまでに、発光輝度が高い光源の劣化度合い、発光輝度が高い光源の温度、等が大幅に変わってしまう。その結果、発光輝度が高い光源の発光を高精度に補正することができず、バックライト装置の全体的な発光を高精度に補正することができない。そして、バックライト装置の全体的な発光が高精度
に補正されないことにより、表示画像の画質劣化が生じる。
【０００８】
光源の数が非常に多い場合などにおいても、同様の課題が生じる。光源の数の増加により、各光源の光検出値の取得に要する時間は増加する。そのため、従来技術では、各光源の光検出値の取得が完了するまでに、各光源の劣化度合い、各光源の温度、等が大幅に変わってしまう。その結果、各光源の発光を高精度に補正することができず、バックライト装置の全体的な発光を高精度に補正することができない。そして、バックライト装置の全体的な発光が高精度に補正されないことにより、表示画像の画質劣化が生じる。
【先行技術文献】
【特許文献】
【０００９】
【特許文献１】特開２０１５−４３２８７号公報
【特許文献２】特開２０１３−２１８９２９号公報
【発明の概要】
【発明が解決しようとする課題】
【００１０】
本発明は、発光装置の全体的な発光を高精度に補正することができる技術を提供することを目的とする。
【課題を解決するための手段】
【００１１】
本発明の第１の態様は、
各々に複数の光源部が配置された複数の発光領域を有する発光部と、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
各光源部を順番に選択する選択手段と、
前記選択手段によって選択された光源部である選択光源部を点灯させる制御手段と、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定手段と、
各光源部の発光輝度と発光色の少なくとも一方を、前記決定手段によって決定された補正パラメータを用いて補正する補正手段と、
を有し、
前記選択手段は、同じ温度センサが連続して選択されないような順番で各光源部を選択する
ことを特徴とする発光装置である。
【００１２】
本発明の第２の態様は、
各々に複数の光源部が配置された複数の発光領域を有する発光部と、
前記発光部から発せられた光を変調することで画像を表示する表示部と、
を有し、
前記発光部が有する複数の光源部は、各々が画面の一部である複数の部分領域にそれぞれ対応し、
各光源部は、自身に対応する部分領域における入力画像データに基づく発光輝度で点灯する
表示装置であって、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
前記光源部に対応する部分領域における入力画像データに基づいて、当該光源部の前記発光輝度が高いほど高い優先度を決定する処理を、各光源部について行う優先度決定手段と、
前記優先度決定手段によって決定された優先度が高い光源部から選択されるような順番で各光源部を選択する選択手段と、
前記選択手段によって選択された光源部である選択光源部を点灯させる制御手段と、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定手段と、
各光源部の発光輝度と発光色の少なくとも一方を、前記決定手段によって決定された補正パラメータを用いて補正する補正手段と、
を有することを特徴とする表示装置である。
【００１３】
本発明の第３の態様は、
各々に複数の光源部が配置された複数の発光領域を有する発光部と、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
を有する発光装置の制御方法であって、
各光源部を順番に選択する選択ステップと、
前記選択ステップにおいて選択された光源部である選択光源部を点灯させる制御ステップと、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定ステップと、
各光源部の発光輝度と発光色の少なくとも一方を、前記決定ステップにおいて決定された補正パラメータを用いて補正する補正ステップと、
を有し、
前記選択ステップでは、同じ温度センサが連続して選択されないような順番で各光源部を選択する
ことを特徴とする発光装置の制御方法である。
【００１４】
本発明の第４の態様は、
各々に複数の光源部が配置された複数の発光領域を有する発光部と、
前記発光部から発せられた光を変調することで画像を表示する表示部と、
を有し、
前記発光部が有する複数の光源部は、各々が画面の一部である複数の部分領域にそれぞれ対応し、
各光源部は、自身に対応する部分領域における入力画像データに基づく発光輝度で点灯
する
表示装置の制御方法であって、
前記表示装置は、
前記複数の発光領域にそれぞれ対応し、且つ、自身に対応する発光領域から発せられた光を検出するための複数の光センサと、
前記複数の光センサにそれぞれ対応し、且つ、自身に対応する光センサの温度を検出するための複数の温度センサと、
をさらに有し、
前記表示装置の制御方法は、
前記光源部に対応する部分領域における入力画像データに基づいて、当該光源部の前記発光輝度が高いほど高い優先度を決定する処理を、各光源部について行う優先度決定ステップと、
前記優先度決定ステップにおいて決定された優先度が高い光源部から選択されるような順番で各光源部を選択する選択ステップと、
前記選択ステップにおいて選択された光源部である選択光源部を点灯させる制御ステップと、
前記選択光源部の補正パラメータを、
前記選択光源部が配置された発光領域に対応する光センサによって前記選択光源部の点灯中に得られた検出値である光検出値と、
前記選択光源部から発せられた光を検出する前記光センサに対応する温度センサによって前記選択光源部の点灯中に得られた検出値である温度検出値と、
に基づいて決定する決定ステップと、
各光源部の発光輝度と発光色の少なくとも一方を、前記決定ステップにおいて決定された補正パラメータを用いて補正する補正ステップと、
を有することを特徴とする表示装置の制御方法である。
【００１５】
本発明の第５の態様は、本発明の第３の態様である発光装置の制御方法の各ステップをコンピュータに実行させるためのプログラムである。
【００１６】
本発明の第６の態様は、本発明の第４の態様である表示装置の制御方法の各ステップをコンピュータに実行させるためのプログラムである。
【発明の効果】
【００１７】
本発明によれば、発光装置の全体的な発光を高精度に補正することができる。
【図面の簡単な説明】
【００１８】
【図１】実施例１に係るカラー表示装置の構成例
【図２】実施例１に係る光源基板の構成例
【図３】実施例１に係るＬＥＤ基板等の配置の一例
【図４】実施例１に係るバックライトユニットの構成例
【図５】実施例１に係るバックライトユニットの処理フローの一例
【図６】実施例１に係る選択順序の一例
【図７】実施例２に係るバックライトユニットの処理フローの一例
【図８】実施例３に係る入力画像の一例
【図９】実施例３に係るバックライトユニットの構成例
【図１０】実施例３に係る選択順序の一例
【図１１】実施例３に係るバックライトユニットの処理フローの一例
【発明を実施するための形態】
【００１９】
＜実施例１＞
以下、本発明の実施例１について説明する。以下では、発光装置から発せられた光を変調することで画面に画像を表示する表示装置の例を説明するが、本実施例に係る発光装置は、表示装置で使用される装置に限られない。本実施例に係る発光装置は、街灯、室内照明、顕微鏡照明などの照明装置であってもよい。以下では、本実施例に係る表示装置が、透過型の液晶表示装置である場合の例を説明するが、本実施例に係る表示装置はこれに限られない。本実施例に係る表示装置は、発光装置から発せられた光を変調することで画面に画像を表示する表示装置であれば、どのような表示装置であってもよい。本実施例に係る表示装置は、反射型の液晶表示装置であってもよい。本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。本実施例に係る表示装置は、広告表示装置、標識表示装置、等であってもよい。以下では、本実施例に係る表示装置がカラー表示装置（カラー画像を表示可能な表示装置）である場合の例を説明するが、本実施例に係る表示装置はモノクロ表示装置（モノクロ画像のみを表示可能な表示装置）であってもよい。
【００２０】
図１は、本実施例に係るカラー表示装置の構成例を示す模式図である。本実施例に係るカラー表示装置は、バックライトユニット（発光装置）とカラー液晶パネル１０５を有する。バックライトユニットは、光源基板１０１、拡散板１０２、集光シート１０３、反射型偏光フィルム１０４、等を有する。
【００２１】
光源基板１０１は、カラー液晶パネル１０５の背面に光（白色光）を照射する発光部である。光源基板１０１は、複数の光源部を有する。各光源部は、１つ以上の発光素子（光源）を有する。発光素子としては、発光ダイオード（ＬＥＤ）、冷陰極管、有機ＥＬ素子、等を用いることができる。
【００２２】
拡散板１０２、集光シート１０３、及び、反射型偏光フィルム１０４は、光源基板１０１から発せられた光に光学的な変化を与える。具体的には、拡散板１０２は、光源基板１０１が有する各発光素子から発せられた光を拡散させることにより、光源基板１０１を面光源として機能させる。集光シート１０３は、拡散板１０２で拡散し、様々な入射角度で入射した白色光を、正面方向（カラー液晶パネル１０５側）に集光することにより、正面輝度（正面方向の輝度）を向上させる。反射型偏光フィルム１０４は、入射した白色光を効率的に偏光することにより、正面輝度を向上させる。
【００２３】
拡散板１０２、集光シート１０３、及び、反射型偏光フィルム１０４は重ねて用いられる。以後、これらの光学部材の組み合わせを「光学シート１０６」と記載する。なお、光学シート１０６には、上述した複数の光学部材以外の部材が含まれていてもよいし、上述した複数の光学部材の少なくともいずれか１つが含まれていなくてもよい。また、光学シート１０６とカラー液晶パネル１０５は一体で構成されていてもよい。
【００２４】
カラー液晶パネル１０５は、バックライトユニットから発せられた光を変調することで画面に画像を表示する表示部である。具体的には、カラー液晶パネル１０５は、光源基板１０１から発せられ、且つ、光学シート１０６で光学的な変化が与えられた光を変調することで、画面に画像を表示する。本実施例では、カラー液晶パネル１０５は、赤色の光を透過するＲサブ画素、緑色の光を透過するＧサブ画素、及び、青色の光を透過するＢサブ画素からなる画素を複数有する。そして、カラー液晶パネル１０５は、各サブ画素について、照射された白色光の輝度を制御する。それにより、カラー画像が表示される。
【００２５】
以上で説明したような構成（図１に示すような構成）のバックライトユニットは、「直下型バックライトユニット」などと呼ばれる。
【００２６】
図２は、光源基板１０１の構成例を示す模式図である。光源基板１０１は、複数の発光領域を有する。図２の例では、光源基板１０１は、２行２列のマトリクス状に配置された４つのＬＥＤ基板１１０を有する。各ＬＥＤ基板１１０の領域は、上記発光領域である。そのため、図２の例では、光源基板１０１は、２行２列のマトリクス状に配置された４つの発光領域を有する。このように、説明において、「ＬＥＤ基板１１０」は「発光領域」と読み替えることができる。
【００２７】
なお、各ＬＥＤ基板１１０は、他のＬＥＤ基板１１０から独立した部材であってもよいし、そうでなくてもよい。例えば、２つ以上のＬＥＤ基板１１０が一体で構成されていてもよい。即ち、２つ以上のＬＥＤ基板１１０が１つの基板で実現されてもよい。また、ＬＥＤ基板１１０の数、ＬＥＤ基板１１０の配置、等は特に限定されない。例えば、ＬＥＤ基板１１０の数は、４つより多くても少なくてもよい。複数のＬＥＤ基板１１０が、千鳥格子状に配置されていてもよい。
【００２８】
各ＬＥＤ基板１１０には、複数の光源部（発光ブロック）が配置されている。図２の例では、各ＬＥＤ基板１１０に、２行２列のマトリクス状に配置された４つの発光ブロック１１１が設けられている。そのため、図２の例では、光源基板１０１は、４行×４列のマトリクス状に配置された１６個の発光ブロック１１１を有する。各発光ブロック１１１の発光輝度と発光色の少なくとも一方は個別に制御することができる。
【００２９】
なお、各ＬＥＤ基板１１０において、発光ブロック１１１の数、発光ブロック１１１の配置、等は特に限定されない。例えば、発光ブロック１１１の数は、４つより多くても少なくてもよい。複数の発光ブロック１１１が、千鳥格子状に配置されていてもよい。
【００３０】
上述したように、各発光ブロック（光源部）１１１は、１つ以上の発光素子を有する。図２の例では、各発光ブロック１１１の中心（略中心）に１つのＬＥＤチップ１１２が設けられている。本実施例では、ＬＥＤチップ１１２は、白色ＬＥＤ（白色光を発するＬＥＤ）である。
【００３１】
なお、各発光ブロック１１１において、ＬＥＤチップ１１２の種類、ＬＥＤチップ１１２の数、ＬＥＤチップ１１２の配置、等は特に限定されない。各発光ブロック１１１において、ＬＥＤチップ１１２として白色ＬＥＤが使用されなくてもよい。各発光ブロック１１１において、発光色が互いに異なる複数のＬＥＤのそれぞれが、ＬＥＤチップ１１２として使用されてもよい。この場合には、例えば、複数のＬＥＤから発せられた複数の光の合成により、白色光が実現される。複数のＬＥＤとして、例えば、赤色ＬＥＤ（赤色光を発するＬＥＤ）、緑色ＬＥＤ（緑色光を発するＬＥＤ）、及び、青色ＬＥＤ（青色光を発するＬＥＤ）を使用することができる。
【００３２】
本実施例では、複数の光センサ１１３が、光源基板１０１に設けられている。複数の光センサ１１３は、複数のＬＥＤ基板１１０にそれぞれ対応する。そして、各光センサ１１３は、自身に対応するＬＥＤ基板１１０から発せられた光を検出するために使用される。各光センサ１１３は、検出した光に応じた検出値（光検出値）を出力する。図２の例では、各光センサ１１３は、自身に対応するＬＥＤ基板１１０の中心（略中心）に設けられている。換言すれば、各光センサ１１３は、自身に対応する４つの発光ブロック１１１の中心（略中心）に設けられている。
【００３３】
本実施例では、発光ブロック１１１からの光の一部は、光学シート１０６で反射した後に光センサ１１３へ入射する。そして、各光センサ１１３は、光学シート１０６からの光（反射光）を検出し、光検出値を出力する。なお、発光ブロック１１１からの光が光センサ１１３へ直接入射してもよい。反射光が光センサ１１３へ入射しなくてもよい。
【００３４】
光センサ１１３としては、フォトダイオード、フォトトランジスタ、等のように、光の輝度（光の輝度の変化）に関する光検出値を出力するセンサを用いることができる。光の色（光の色の変化）に関する光検出値を出力するカラーセンサを、光センサ１１３として用いることもできる。光の輝度と光の色の両方に関する光検出値を出力するセンサを、光センサ１１３として用いることもできる。
【００３５】
なお、光センサ１１３の数、光センサ１１３の配置、等は特に限定されない。例えば、ＬＥＤ基板１１０に対応する光センサ１１３が、他のＬＥＤ基板１１０に設けられていてもよい。１つの光センサ１１３が２つ以上のＬＥＤ基板１１０に対応付けられていてもよい。
【００３６】
本実施例では、複数の温度センサ１１４が、光源基板１０１に設けられている。複数の温度センサ１１４は、複数の光センサ１１３にそれぞれ対応する。換言すれば、複数の温度センサ１１４は、複数のＬＥＤ基板１１０にそれぞれ対応する。そして、各温度センサ１１４は、自身に対応する光センサ１１３の温度を検出するために使用される。各温度センサ１１４は、検出した温度に応じた検出値（温度検出値）を出力する。図２の例では、各温度センサ１１４は、自身に対応する光センサ１１３の近傍に設けられている。温度センサ１１４としては、サーミスタなどのように、温度に関する温度検出値を出力するセンサを用いることができる。なお、温度センサ１１４の数、温度センサ１１４の配置、等は特に限定されない。
【００３７】
光センサ１１３は、「光センサ１１３に入射した光と、光検出値との相対的な関係が、光センサ１１３の温度に依存する」という温度特性を有する。本実施例では、光検出値と温度検出値とに基づいて補正パラメータが決定され、決定された補正パラメータを用いて発光ブロック１１１の発光（発光輝度と発光色の少なくとも一方）が補正される。温度検出値が考慮されることにより、温度検出値が考慮されない場合よりも高精度に、発光ブロック１１１の発光を補正することができる。具体的には、温度検出値に基づいて光検出値が補正される。それにより、補正後の光検出値として、光センサ１１３の温度変化に起因した上記相対的な関係の変化が低減された光検出値が得られる。そして、補正後の光検出値を上記補正パラメータとして用いて、発光ブロック１１１の発光が補正される。なお、光検出値とは異なるパラメータが、補正パラメータとして決定されてもよい。補正パラメータの種類、発光ブロック１１１の発光の補正方法、等は特に限定されない。
【００３８】
図３は、正面方向（カラー液晶パネル１０５側）から見た場合の、ＬＥＤ基板１１０、発光ブロック１１１、光センサ１１３、及び、温度センサ１１４の配置の一例を示す模式図である。図３の例では、光源基板１０１は、ＬＥＤ基板１１０（１）〜１１０（４）を有する。
【００３９】
ＬＥＤ基板１１０（１）には、発光ブロック１１１（１−Ａ）〜１１１（１−Ｄ）が設けられている。ＬＥＤ基板１１０（２）には、発光ブロック１１１（２−Ａ）〜１１１（２−Ｄ）が設けられている。ＬＥＤ基板１１０（３）には、発光ブロック１１１（３−Ａ）〜１１１（３−Ｄ）が設けられている。そして、ＬＥＤ基板１１０（４）には、発光ブロック１１１（４−Ａ）〜１１１（４−Ｄ）が設けられている。ＬＥＤ基板１１０（１）〜１１０（４）の間において、ＬＥＤ基板１１０（Ｘ）に対する発光ブロック１１１（Ｘ−Ｙ）の相対位置は等しい。なお、ＬＥＤ基板１１０（１）〜１１０（４）の間において、ＬＥＤ基板１１０（Ｘ）に対する発光ブロック１１１（Ｘ−Ｙ）の相対位置は互いに異なっていてもよい。Ｘは１〜４の番号であり、ＹはＡ〜Ｄのアルファベットである。
【００４０】
ＬＥＤ基板１１０（１）には、光センサ１１３（１）と温度センサ１１４（１）が設け
られている。ＬＥＤ基板１１０（２）には、光センサ１１３（２）と温度センサ１１４（２）が設けられている。ＬＥＤ基板１１０（３）には、光センサ１１３（３）と温度センサ１１４（３）が設けられている。そして、ＬＥＤ基板１１０（４）には、光センサ１１３（４）と温度センサ１１４（４）が設けられている。本実施例では、発光ブロック１１１（Ｘ−Ｙ）から発せられた光は、光センサ１１３（Ｘ）によって検出され、光センサ１１３（Ｘ）の温度は、温度センサ１１４（Ｘ）によって検出される。
【００４１】
図４は、本実施例に係るバックライトユニットの構成例を示すブロック図である。なお、図４では、光学シート１０６、ＬＥＤ基板１１０、発光ブロック１１１、ＬＥＤチップ１１２、等は省略されている。図４に示すように、本実施例に係るバックライトユニットは、発光ブロック選択部１１５、複数の光センサ１１３、複数の温度センサ１１４、Ａ／Ｄ変換器１１６、補正パラメータ決定部１１７、及び、発光補正部１１８を有する。
【００４２】
発光ブロック選択部１１５は、各発光ブロック１１１を順番に選択する。そして、発光ブロック選択部１１５は、選択した発光ブロック１１１である選択発光ブロック（選択光源部）を点灯させる。本実施例では、発光ブロック選択部１１５は、選択発光ブロックとは異なる発光ブロック１１１である非選択発光ブロックを消灯させる。なお、非選択発光ブロックから発せられて選択光センサへ入射する光が少なければ、少なくとも１つの非選択発光ブロックを点灯させてもよい。選択光センサは、選択発光ブロックが配置されたＬＥＤ基板１１０に対応する光センサ１１３である。
【００４３】
複数の光センサ１１３のうちの選択光センサは、選択発光ブロックの点灯中に、選択発光ブロックから発せられた光を検出する。そして、選択光センサは、検出した光に応じたアナログ値である光検出値を、Ａ／Ｄ変換器１１６へ出力する。
【００４４】
Ａ／Ｄ変換器１１６は、選択光センサから出力されたアナログ値をデジタル値に変換する。そして、Ａ／Ｄ変換器１１６は、デジタル値である光検出値を、補正パラメータ決定部１１７へ出力する。
【００４５】
複数の温度センサ１１４のうちの選択温度センサは、選択発光ブロックの点灯中に、選択光センサの温度を検出する。選択温度センサは、選択光センサに対応する温度センサ１１４である。そして、選択温度センサは、検出した温度に応じた温度検出値を、補正パラメータ決定部１１７へ出力する。
【００４６】
補正パラメータ決定部１１７は、選択発光ブロックの補正パラメータを、選択温度センサから出力された温度検出値と、Ａ／Ｄ変換器１１６（選択光センサ）から出力された光検出値とに基づいて決定する。そして、補正パラメータ決定部１１７は、決定した補正パラメータを、発光補正部１１８へ出力する。具体的には、補正パラメータ決定部１１７は、選択温度センサから出力された温度検出値に基づいて、Ａ／Ｄ変換器１１６から出力された光検出値を補正する。そして、補正パラメータ決定部１１７は、補正後の光検出値を、選択発光ブロックの補正パラメータとして、発光補正部１１８へ出力する。
【００４７】
発光補正部１１８は、各発光ブロック１１１の発光を、補正パラメータを用いて補正する。発光ブロック１１１の発光は、当該発光ブロック１１１の補正パラメータを用いて補正される。
【００４８】
図５は、本実施例に係るバックライトユニットの処理フローの一例を示すフローチャートである。本実施例では、発光ブロック選択部１１５により、同じ温度センサ１１４が連続して選択されないような順番で各発光ブロック１１１が選択される。図５の処理フローは、例えば、入力画像データ（カラー表示装置に入力された画像データ）に基づく画像が
表示されている状態で、カラー表示装置に対してユーザが行った操作に応じて実行される。なお、図５の処理フローの実行タイミングは特に限定されない。例えば、図５の処理フローは、所定のタイミングで自動的に実行されてもよい。図５の処理フローは、所定の時間間隔で繰り返し実行されてもよい。図５の処理フローは、入力画像データに基づく画像が表示されていない状態で実行されてもよい。
【００４９】
まず、Ｓ１０１にて、発光ブロック選択部１１５は、アルファベットＡ〜ＤのいずれかであるアルファベットＹを選択する。
【００５０】
次に、Ｓ１０２にて、発光ブロック選択部１１５は、アルファベットＹに対応する発光ブロック１１１（１−Ｙ）〜１１１（４−Ｙ）のいずれかである発光ブロック１１１（Ｘ−Ｙ）を、選択発光ブロックとして選択する。その後、発光ブロック選択部１１５は、選択発光ブロック１１１（Ｘ−Ｙ）を点灯させ、非選択発光ブロックを消灯させる。
【００５１】
そして、Ｓ１０３にて、選択温度センサは、選択光センサの温度を検出し、検出した温度に応じた温度検出値を補正パラメータ決定部１１７へ出力する。ここで、選択光センサは、光センサ１１３（Ｘ）であり、選択温度センサは、温度センサ１１４（Ｘ）である。
【００５２】
次に、Ｓ１０４にて、選択光センサ１１３（Ｘ）は、選択発光ブロック１１１（Ｘ−Ｙ）から発せられた光を検出し、検出した光に応じたアナログ値である光検出値をＡ／Ｄ変換器１１６へ出力する。
【００５３】
そして、Ｓ１０５にて、Ａ／Ｄ変換器１１６は、Ｓ１０４において得られたアナログ値をデジタル値に変換し、デジタル値である光検出値を補正パラメータ決定部１１７へ出力する。
【００５４】
なお、Ｓ１０４の処理よりも後にＳ１０３の処理が行われてもよいし、Ｓ１０５の処理よりも後にＳ１０３の処理が行われてもよいし、Ｓ１０４の処理、Ｓ１０５の処理、等と並列にＳ１０３の処理が行われてもよい。
【００５５】
次に、Ｓ１０６にて、補正パラメータ決定部１１７は、Ｓ１０３において得られた温度検出値に基づいて、Ｓ１０５において得られた光検出値を補正する。その後、補正パラメータ決定部１１７は、補正後の光検出値を、選択発光ブロック１１１（Ｘ−Ｙ）の補正パラメータとして、発光補正部１１８へ出力する。
【００５６】
そして、Ｓ１０７にて、発光補正部１１８は、選択発光ブロック１１１（Ｘ−Ｙ）の発光を、Ｓ１０６において決定された補正パラメータを用いて補正する。
【００５７】
次に、Ｓ１０８にて、発光ブロック選択部１１５は、アルファベットＹに対応する未選択の発光ブロック１１１が存在するか否かを判断する。アルファベットＹに対応する未選択の発光ブロック１１１が存在する場合には、Ｓ１０２へ処理が戻される。Ｓ１０２にて、発光ブロック選択部１１５は、アルファベットＹに対応する未選択の発光ブロック１１１を選択する。アルファベットＹに対応する未選択の発光ブロック１１１が存在しない場合、すなわち発光ブロック１１１（１−Ｙ）〜１１１（４−Ｙ）の全てが選択済みである場合には、Ｓ１０９へ処理が進められる。
【００５８】
Ｓ１０９にて、発光ブロック選択部１１５は、未選択のアルファベットが存在するか否かを判断する。未選択のアルファベットが存在する場合には、Ｓ１０１へ処理が戻される。その際、Ｓ１０１、発光ブロック選択部１１５は、未選択のアルファベットを選択する。未選択のアルファベットが存在しない場合、すなわち全発光ブロック１１１が選択済み
である場合には、図５の処理フローが終了される。図５の処理フローが終了された後、各発光ブロック１１１は、補正パラメータを用いた補正後の発光を行う。
【００５９】
図６は、本実施例に係る選択順序の一例を示す。本実施例では、各ＬＥＤ基板１１０にＮ個（Ｎは２以上の整数）の発光ブロック１１１が配置されている場合において、各温度センサ１１４を順番に選択する処理がＮ回繰り返されるような順番で、各発光ブロック１１１が選択される。図６の例では、温度センサ１１４（１）〜１１４（４）を順番に選択する処理が４回繰り返されるような順番で、各発光ブロック１１１が選択される。具体的には、発光ブロック１１１（１−Ｙ）〜１１１（４−Ｙ）を順番に選択する処理が、アルファベットを変えながら４回行われる。これにより、全発光ブロック１１１の発光の補正に要する時間は低減されないが、広範囲に渡って存在する複数の発光ブロック１１１の発光を、短時間で高精度に補正することができる。その結果、バックライトユニットの全体的な発光を高精度に補正することができる。ひいては、表示画像（画面に表示された画像）の画質劣化を抑制することができる。なお、選択順序（番号１〜４の順序、アルファベットＡ〜Ｄの順序、等）は特に限定されない。また、広範囲に渡って存在する複数の発光ブロック１１１の発光を短時間で補正することができるのであれば、同じＬＥＤ基板１１０に配置されている２つ以上の発光ブロック１１１が連続して選択されてもよい。
【００６０】
以上述べたように、本実施例によれば、同じ温度センサが連続して選択されないような順番で各光源部が選択される。それにより、広範囲に渡って存在する複数の光源部の発光を、短時間で高精度に補正することができる。その結果、発光装置の全体的な発光を高精度に補正することができる。本実施例の補正精度（発光装置の全体的な発光の補正精度）と従来の補正精度との差は、光源部の数が多いほど大きい。そのため、本実施例は、光源部の数が多い場合などに特に好ましい。
【００６１】
＜実施例２＞
以下、本発明の実施例２について説明する。なお、以下では、実施例１と異なる点（構成および処理）について詳しく説明し、実施例１と同じ点についての説明は省略する。
【００６２】
実施例１では、発光ブロック１１１が選択される度に、選択された発光ブロック１１１の補正パラメータが決定される。本実施例では、実施例１よりも少ない頻度で、補正パラメータを決定する処理が行われる。具体的には、Ｍ個（Ｍは２以上の整数）の発光ブロック１１１が選択される度に、Ｍ個の発光ブロック１１１の選択に対して得られた、Ｍ個の光検出値と、Ｍ個の温度検出値とに基づいて、Ｍ個の発光ブロック１１１の間で共通の補正パラメータが決定される。Ｍ個の発光ブロック１１１は、同じＬＥＤ基板１１０に配置された複数の発光ブロック１１１の全部または一部である。それにより、広範囲に渡って存在する複数の発光ブロック１１１の発光を、より短時間で補正することができる。なお、上記Ｍの値は特に限定されない。上記Ｍの値は、メーカーによって予め定められた固定値であってもよいし、ユーザが変更可能な値であってもよいし、カラー表示装置の使用環境、入力画像データ、等に応じて自動で決定される値であってもよい。
【００６３】
本実施例に係るカラー表示装置の構成、本実施例に係るバックライトユニットの構成、等は、実施例１と同様である。図７は、本実施例に係るバックライトユニットの処理フローの一例を示すフローチャートである。
【００６４】
まず、Ｓ２０１〜Ｓ２０４の処理が行われる。Ｓ２０１〜Ｓ２０４の処理は、図５のＳ１０１〜Ｓ１０４の処理と同じである。
【００６５】
次に、Ｓ２０５にて、発光ブロック選択部１１５は、選択発光ブロック１１１（Ｘ−Ｙ）を含み、且つ、ＬＥＤ基板１１０（Ｘ）に配置されているＭ個の発光ブロック１１１が
選択されたか否かを判断する。Ｍ個の発光ブロック１１１が選択された場合には、Ｓ２０６〜Ｓ２１０の処理が行われる。Ｍ個の発光ブロック１１１に未選択の発光ブロックが存在する場合には、Ｓ２１１へ処理が進められる。Ｍ個の発光ブロック１１１の組み合わせは予め定められる。
【００６６】
Ｓ２０６にて、補正パラメータ決定部１１７は、Ｍ個の発光ブロック１１１の選択に対して得られたＭ個の温度検出値（温度センサ１１４（Ｘ）の温度検出値）の総和を算出する。Ｓ２０７にて、Ａ／Ｄ変換器１１６は、Ｍ個の発光ブロック１１１の選択に対して得られたＭ個の光検出値（光センサ１１３（Ｘ）の光検出値）の総和を算出する。Ｓ２０８にて、Ａ／Ｄ変換器１１６は、Ｓ２０７において得られたアナログ値（上記総和）をデジタル値に変換し、デジタル値である総和（光検出値の総和）を補正パラメータ決定部１１７へ出力する。Ｓ２０９にて、補正パラメータ決定部１１７は、Ｓ２０６において得られた総和（温度検出値の総和）に基づいて、Ｓ２０８において得られた総和（光検出値の総和）を補正する。その後、補正パラメータ決定部１１７は、補正後の総和（光検出値の総和）を、Ｍ個の発光ブロック１１１の間で共通の補正パラメータとして、発光補正部１１８へ出力する。Ｓ２１０にて、発光補正部１１８は、Ｍ個の発光ブロック１１１のそれぞれの発光を、Ｓ２０９において決定された補正パラメータを用いて補正する。その後、Ｓ２１１へ処理が進められる。
【００６７】
Ｓ２１１の処理は、図５のＳ１０８の処理と同じである。アルファベットＹに対応する未選択の発光ブロック１１１が存在する場合には、Ｓ２１１からＳ２０２へ処理が戻される。アルファベットＹに対応する未選択の発光ブロック１１１が存在しない場合には、Ｓ２１１からＳ２１２へ処理が進められる。Ｓ２１２の処理は、図５のＳ１０９の処理と同じである。未選択のアルファベットが存在する場合には、Ｓ２１２からＳ２０１へ処理が戻される。未選択のアルファベットが存在しない場合には、図７の処理フローが終了される。
【００６８】
以上述べたように、本実施例によれば、Ｍ個の光源部が選択される度に、Ｍ個の光源部の選択に対して得られた、Ｍ個の光検出値と、Ｍ個の温度検出値とに基づいて、Ｍ個の光源部の間で共通の補正パラメータが決定される。そして、Ｍ個の光源部のそれぞれの発光が、決定された補正パラメータを用いて補正される。それにより、広範囲に渡って存在する複数の発光ブロック１１１の発光を、より短時間で補正することができる。その結果、広範囲に渡って存在する複数の発光ブロック１１１の発光をより高精度に補正することが期待でき、発光装置の全体的な発光をより高精度に補正することが期待できる。
【００６９】
なお、本実施例では、Ｍ個の温度検出値の総和とＭ個の光検出値の総和とを用いて補正パラメータを決定したが、補正パラメータの決定方法は特に限定されない。例えば、Ｍ個の温度検出値の代表値（平均値、最大値、最小値、最頻値、中間値、等）とＭ個の光検出値の代表値とを用いて補正パラメータを決定してもよい。
【００７０】
＜実施例３＞
以下、本発明の実施例３について説明する。なお、以下では、実施例２と異なる点（構成および処理）について詳しく説明し、実施例２と同じ点についての説明は省略する。実施例１，２では、同じ温度センサが連続して選択されないような順番で各発光ブロック１１１が選択される。本実施例では、発光ブロック１１１の選択方法が、実施例１，２と異なる。
【００７１】
本実施例では、光源基板１０１が有する複数の発光ブロック１１１は、各々が画面の一部である複数の部分領域にそれぞれ対応する。複数の部分領域は、例えば、画面の領域を構成する複数の分割領域である。そして、各発光ブロック１１１が、自身に対応する部分
領域における入力画像データに基づく発光輝度で点灯するように、発光ブロック選択部は、各発光ブロック１１１の発光輝度を制御する。本実施例では、発光ブロック１１１に対応する部分領域における入力画像データの輝度が高いほど高い発光輝度に、当該発光ブロック１１１の発光輝度が制御される。
【００７２】
なお、部分領域のサイズ、部分領域の形状、等は特に限定されない。部分領域のサイズは、画像データの１画素に相当するサイズ、画像データの２つ以上の画素に相当するサイズ、カラー表示装置の１表示素子に相当するサイズ、カラー表示装置の２つ以上の表示素子に相当するサイズ、等であってもよい。部分領域の形状は、三角形、四角形、五角形、六角形、八角形、円形、等であってもよい。複数の部分領域の間で、部分領域のサイズ、部分領域の形状、等が異なっていてもよい。また、部分領域は分割領域に限られない。部分領域は他の部分領域から離れていてもよいし、部分領域の少なくとも一部が他の部分領域の少なくとも一部に重なっていてもよい。
【００７３】
なお、入力画像データに基づく発光輝度は特に限定されない。例えば、発光ブロック１１１に対応する部分領域における入力画像データの輝度が高いほど低い発光輝度に、当該発光ブロック１１１の発光輝度が制御されてもよい。
【００７４】
このような構成においては、入力画像データに基づく発光輝度が高いほど、発光ブロック１１１の温度変化（温度上昇）の速度が高い。また、入力画像データに基づく発光輝度が高いほど、発光ブロック１１１の劣化の速度も高い。そのため、入力画像データに基づく発光輝度が高い発光ブロック１１１は、入力画像データに基づく発光輝度が低い発光ブロック１１１よりも優先して選択されることが好ましい。
【００７５】
図８は、入力画像（入力画像データによって表された画像）の一例を示す。図８の入力画像では、黒色背景上に２つの白色パッチが存在する。この場合には、白色パッチが表示される領域の直下に配置された発光ブロック１１１の発光輝度が、黒色背景が表示される領域の直下に配置された発光ブロック１１１の発光輝度よりも高い発光輝度に制御される。そのため、白色パッチが表示される領域の直下に配置された発光ブロック１１１は、黒色背景が表示される領域の直下に配置された発光ブロック１１１よりも優先して選択されることが好ましい。
【００７６】
そこで、本実施例では、入力画像データに基づく発光輝度が高い発光ブロック１１１を、入力画像データに基づく発光輝度が低い発光ブロック１１１よりも優先して選択する。それにより、バックライトユニットの全体的な発光をより高精度に補正することができる。
【００７７】
図９は、本実施例に係るバックライトユニットの構成例を示すブロック図である。図９において、図４の機能部と同じ機能部には図４と同じ符号が付されている。
【００７８】
優先度決定部３１９は、発光ブロック１１１に対応する部分領域における入力画像データに基づいて、当該発光ブロック１１１の発光輝度（入力画像データに基づく発光輝度）が高いほど高い優先度を決定する処理を、各発光ブロック１１１について行う。本実施例では、画像データの輝度は、画像データの階調値が大きいほど高い。優先度決定部３１９は、発光ブロック１１１に対応する部分領域における入力画像データの代表階調値（平均階調値、最大階調値、最小階調値、最頻階調値、中間階調値、等）が大きいほど高い優先度を決定する。そして、優先度決定部３１９は、各発光ブロック１１１の優先度を発光ブロック選択部３１５へ出力する。なお、優先度の決定方法は、代表階調値を用いた上記方法に限られない。
【００７９】
本実施例では、発光ブロック１１１の優先度が高いほど、発光ブロック１１１の温度変化（温度上昇）の速度が高いと考えることができる。また、発光ブロック１１１の優先度が高いほど、発光ブロック１１１の劣化の速度が速いと考えることもできる。そのため、発光ブロック１１１の優先度を決定する処理は、「発光ブロック１１１の温度変化の速度、発光ブロック１１１の劣化の速度、等を推定する処理」とも言える。
【００８０】
発光ブロック選択部３１５は、発光ブロック選択部１１５と同様の機能を有する。但し、発光ブロック選択部３１５は、優先度決定部３１９によって決定された優先度が高い発光ブロック１１１から選択されるような順番で各発光ブロック１１１を選択する。また、上述したように、各発光ブロック１１１が、自身に対応する部分領域における入力画像データに基づく発光輝度で点灯するように、発光ブロック選択部３１５は、各発光ブロック１１１の発光輝度を制御する。本実施例では、優先度が高い発光ブロック１１１が優先度が低い発光ブロック１１１よりも優先して選択されるため、同じ温度センサ１１４が連続して選択されることがある。
【００８１】
図１０は、本実施例に係る選択順序の一例を示す。図１０は、黒色画像から図８の入力画像へ入力画像が変化した場合の例を示す。入力画像が図８の入力画像である場合には、発光ブロック１１１（２−Ａ）〜１１１（２−Ｄ），１１１（４−Ａ）〜１１１（４−Ｄ）の対応領域に、白色パッチが表示される。そして、発光ブロック１１１（１−Ａ）〜１１１（１−Ｄ），１１１（３−Ａ）〜１１１（３−Ｄ）の対応領域には、白色パッチは表示されない。そのため、図１０の例では、発光ブロック１１１（２−Ａ）〜１１１（２−Ｄ），１１１（４−Ａ）〜１１１（４−Ｄ）が、発光ブロック１１１（１−Ａ）〜１１１（１−Ｄ），１１１（３−Ａ）〜１１１（３−Ｄ）よりも優先して選択される。また、発光ブロック１１１（２−Ａ），１１１（２−Ｂ），１１１（４−Ａ），１１１（４−Ｂ）の対応領域における白色パッチのサイズは大きい。そして、発光ブロック１１１（２−Ｃ），１１１（２−Ｄ），１１１（４−Ｃ），１１１（４−Ｄ）の対応領域に占める白色パッチのサイズは小さい。そのため、図１０の例では、発光ブロック１１１（２−Ａ），１１１（２−Ｂ），１１１（４−Ａ），１１１（４−Ｂ）が、発光ブロック１１１（２−Ｃ），１１１（２−Ｄ），１１１（４−Ｃ），１１１（４−Ｄ）よりも優先して選択される。即ち、図１０の例では、対応領域における白色パッチのサイズが大きい発光ブロック１１１から選択されるような順番で、各発光ブロック１１１が選択される。
【００８２】
図１１は、本実施例に係るバックライトユニットの処理フローの一例を示すフローチャートである。図１１において、図７と同じ処理には、図７と同じ符号が付されている。
【００８３】
まず、Ｓ３０１にて、優先度決定部３１９が、入力画像データに基づいて各発光ブロック１１１の優先度を決定する。優先度の決定方法は、上述したとおりである。
【００８４】
次に、発光ブロック選択部３１５は、光源基板１０１が有する複数の発光ブロック１１１のうち、Ｓ３０１において決定された優先度が最も高い発光ブロック１１１を、選択発光ブロックとして選択する。その後、発光ブロック選択部３１５は、選択発光ブロックを点灯させ、非選択発光ブロックを消灯させる。
【００８５】
そして、Ｓ２０３〜Ｓ２１０の処理が行われる。本実施例では、Ｍ個の発光ブロック１１１に未選択の発光ブロックが存在する場合には、Ｓ２０５からＳ３０３へ処理が進められる。Ｍ個の発光ブロック１１１に未選択の発光ブロックが存在する場合において、Ｓ２０５からＳ３０２へ処理が戻されてもよい。また、本実施例では、Ｓ２１０の処理の次に、Ｓ３０３へ処理が進められる。
【００８６】
Ｓ３０３にて、発光ブロック選択部３１５は、光源基板１０１が有する複数の発光ブロ
ック１１１の中に、未選択の発光ブロック１１１が存在するか否かを判断する。未選択の発光ブロック１１１が存在しない場合には、図１１の処理フローが終了される。未選択の発光ブロック１１１が存在する場合には、Ｓ３０２へ処理が戻される。Ｓ３０２にて、発光ブロック選択部３１５は、未選択の発光ブロック１１１を選択する。未選択の発光ブロックが複数存在する場合には、Ｓ３０２にて、発光ブロック選択部３１５は、未選択の複数の発光ブロック１１１のうち、Ｓ３０１において決定された優先度が最も高い発光ブロック１１１を選択する。
【００８７】
以上述べたように、本実施例によれば、入力画像データに基づく発光輝度が高い光源部が、入力画像データに基づく発光輝度が低い光源部よりも優先して選択される。それにより、発光装置の全体的な発光をより高精度に補正することができる。
【００８８】
なお、実施例３において、実施例１と同様に、光源部が選択される度に、選択された光源部の補正パラメータが決定され、選択された光源部の発光が補正されてもよい。また、実施例３において、実施例１と同様に、同じ温度センサが連続して選択されないような順番で各光源部が選択されてもよい。具体的には、同じ温度センサが連続して選択されず、且つ、各発光領域において優先度が高い光源部から選択されるような順番で、各光源部が選択されてもよい。
【００８９】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９０】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００９１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９２】
１０１：光源基板  １１０：ＬＥＤ基板  １１１：発光ブロック  １１３：光センサ
１１４：温度センサ  １１５，３１５：発光ブロック選択部
１１７：補正パラメータ決定部  １１８：発光補正部  ３１９：優先度決定部
【図１】
2018037214.tif 000003
【図２】
2018037214.tif 000004
【図３】
2018037214.tif 000005
【図４】
2018037214.tif 000006
【図５】
2018037214.tif 000007
【図６】
2018037214.tif 000008
【図７】
2018037214.tif 000009
【図８】
2018037214.tif 000010
【図９】
2018037214.tif 000011
【図１０】
2018037214.tif 000012
【図１１】
2018037214.tif 000013